【手続補正書】
【提出日】令和3年5月31日(2021.5.31)
【手続補正１】
【補正対象書類名】明細書
【補正対象項目名】全文
【補正方法】変更
【補正の内容】
【発明の詳細な説明】
【発明の名称】照明装置
【技術分野】
【０００１】
本発明は、照明装置に関するものであり、さらに詳しくは、照明装置構造に関するものである。
【背景技術】
【０００２】
人々の生活水準の高度化に伴い、伝統的な照明装置は、機能が単一的であるため、既に使用者の使用要求を満足しなくなっている。かかる状況下において、オーディオライトは、音響と照明を互いに結合する装置であり、同時に音響の機能と照明の機能を有し、かつ同時に装飾機能を備えることから、人々に深く愛用されている。
【０００３】
しかしながら、従来のオーディオライトの知能化の程度があまり高くなく、充電時にはＵＳＢ電気ケーブルを新たに追加接続し連通する必要があり、かつオーディオライトの点灯を実際の使用状況に基づいて調節を行うことができないという問題が指摘されている。
すなわち、従来のオーディオライト、例えば、特許文献１により提案されている音響機能付き照明装置によれば、照明および音響の機能に加えて、同時に利用できる他の機能は未だ付加されていない。また、特許文献２によれば、照明装置に照明機能に加えてカメラによる撮影、音声の発生等の機能が照明装置の外部装置の機能として付加されており、その接続部としてＵＳＢケーブルを介するＵＳＢポートを使用することが開示されている。
【先行技術文献】
【特許文献】
【０００４】
【特許文献１】特開２００６−１４０８５８号公報
【特許文献２】特開２０１８−１４７８８１号公報
【発明の概要】
【発明が解決しようとする課題】
【０００５】
従って、本発明の課題は、従来のオーディオライトが有する問題点に鑑み、知能化の程度が高く、充電時においては、ＵＳＢ電気ケーブルを新たに追加接続する必要がなく、さらに、点灯を実際の使用状況に応じて調整可能なオーディオライトを提供することにある。
【課題を解決するための手段】
【０００６】
そこで、本発明者は、本発明の前記課題を解決するため、鋭意検討を重ねた結果、後述の通り、音響構成部品および照明構成部品をそれぞれ設けることにより、前記課題を解決できることに着目し、かかる知見に基いて本発明の完成に想到するに至った。
【０００７】
すなわち、かかる照明装置は、電気取込座と、オーディオライト本体と、支持座とを備え、オーディオライト本体は、電気取込座上に載置され、電気取込座は、オーディオライト本体に対して充電を行い、かつ前記オーディオライト本体は、電気取込座上から取り下げられて単独で使用することができ、電気取込座は支持座上に装着され、オーディオライト本体は、ブラケットと、ブラケット上に装着される音響構成部品、照明構成部品、制御電気回路基板、電池とを有し、制御電気回路基板は、照明装置及び音響構成部品を稼働させるように制御し、音響構成部品、照明構成部品は、いずれも制御電気回路基板上に接続
され、電池は制御電気回路基板上に接続され、オーディオライト本体が電気取込座上に載置される場合、充電装置は電池に対して充電を行い、制御電気回路基板上に検知モジュールと、制御チップとを含み、検知モジュールが制御チップ上に接続され、検知モジュールは、検知結果を制御チップ上にフィードバックし、検知装置は、電池が充電状態にあるか否かを検知し、制御チップは、照明構成部品の出力電流の大きさを制御する。
【０００８】
電気取込座の内部に電気回路基板と充電装置とが設けられ、充電装置は電気回路基板と接続され、電気取込座に充電プラグが設けられ、オーディオライト本体の底部に充電口が設けられ、充電口は電池と接続され、オーディオライト本体が電気取込座上に置かれる場合、充電プラグは充電口と接続され、電池に対して充電を行う。
【０００９】
電気取込座上に無線充電構造の一次コイルが設けられ、オーディオライト本体上に二次コイルが設けられ、二次コイルが電池上に接続される。
【００１０】
さらに、支持座が地中差込部材である場合、支持枠、電気取込座及びオーディオライト本体は地中差込灯に構成され、地中差込部材の底部が下狭上広の錐形を呈して設けられる。
【００１１】
支持座が懸垂部である場合、支持枠、電気取込座及びオーディオライト本体は吊り下げ灯に構成され、懸垂部の頂部が天井板の頂部の壁面上に装着され、オーディオライト本体の上端が懸垂部の底部に懸垂される。
【００１２】
支持座が支持部である場合、支持枠、電気取込座及びオーディオライト本体はフロアランプに構成され、支持部の底部に支持盤が設けられる。
【００１３】
支持座が天井取付部である場合、支持枠、電気取込座及びオーディオライト本体は天井取付灯に構成され、支持座が上天井板上に装着され、オーディオライト本体の上端が引掛金具を介して支持座上に装着される。
【００１４】
支持座が壁付け座である場合、支持枠、電気取込座及びオーディオライト本体は壁付け灯に構成され、壁付け座が仕切壁上に装着され、電気取込座の外側部分が支持座上に装着される。
【００１５】
支持座が支持枠である場合、支持枠、電気取込座及びオーディオライト本体はテーブルランプに構成され、支持枠がテーブル面上に載置される。
【００１６】
かくして、本発明の要旨は、次の（１）〜（９）に記載の通りのものである。
（１）電気取込座と、オーディオライト本体と、支持座とを備える照明装置であって、
前記オーディオライト本体は、前記電気取込座上に載置され、前記電気取込座は、前記オーディオライト本体に対して充電を行い、かつ前記オーディオライト本体は、前記電気取込座上から取り下げられて単独で使用することができ、前記電気取込座は前記支持座上に装着され、
前記オーディオライト本体は、ブラケットと、前記ブラケット上に装着される音響構成部品、照明構成部品、制御電気回路基板、電池とを有し、前記制御電気回路基板は、照明装置及び音響構成部品を稼働させるように制御し、前記音響構成部品、前記照明構成部品は、いずれも前記制御電気回路基板上に接続され、前記電池は前記制御電気回路基板上に接続され、前記オーディオライト本体が前記電気取込座上に載置される場合、前記電気取込座の内部の充電装置は前記電池に対して充電を行い、前記制御電気回路基板上に検知モジュールと、制御チップとを含み、前記検知モジュールが前記制御チップ上に接続され、前記検知モジュールは、検知結果を前記制御チップ上にフィードバックし、前記検知装置は、電池が充電状態にあるか否かを検知し、前記制御チップは、前記照明構成部品の出力電流の大きさを制御することを特徴とする照明装置。
（２）前記電気取込座の内部に電気回路基板と前記充電装置とが設けられ、前記充電装置は前記電気回路基板と接続され、前記電気取込座に充電プラグが設けられ、前記オーディオライト本体の底部に充電口が設けられ、前記充電口は前記電池と接続され、前記オーディオライト本体が前記電気取込座上に置かれる場合、前記充電プラグは前記充電口と接続され、前記電池に対して充電を行うことを特徴とする前記（１）に記載の照明装置。
（３）前記電気取込座上に無線充電構造の一次コイルが設けられ、前記オーディオライト本体上に二次コイルが設けられ、前記二次コイルが前記電池上に接続されることを特徴とする前記（１）に記載の照明装置。
（４）前記支持座が地中差込部材である場合、前記支持枠、前記電気取込座及び前記オーディオライト本体は地中差込灯に構成され、前記地中差込部材の底部が下狭上広の錐形を呈して設けられることを特徴とする前記（１）に記載の照明装置。
（５）前記支持座が懸垂部である場合、前記支持枠、前記電気取込座及び前記オーディオライト本体は吊り下げ灯に構成され、前記懸垂部の頂部が天井板の頂部の壁面上に装着され、前記オーディオライト本体の上端が前記懸垂部の底部に懸垂されることを特徴とする前記（１）に記載の照明装置。
（６）前記支持座が支持部である場合、前記支持枠、前記電気取込座及び前記オーディオライト本体はフロアランプに構成され、前記支持部の底部に支持盤が設けられることを特徴とする前記（１）に記載の照明装置。
（７）前記支持座が天井取付部である場合、前記支持枠、前記電気取込座及び前記オーディオライト本体は天井取付灯に構成され、前記支持座が上天井板上に装着され、前記オーディオライト本体の上端が引掛金具を介して前記支持座上に装着されることを特徴とする前記（１）に記載の照明装置。
（８） 前記支持座が壁付け座である場合、前記支持枠、前記電気取込座及び前記オーディオライト本体は壁付け灯に構成され、前記壁付け座が仕切壁上に装着され、前記電気取込座の外側部分が前記支持座上に装着されることを特徴とする前記（１）に記載の照明装置。
（９）前記支持座が支持枠である場合、前記支持枠、前記電気取込座及び前記オーディオライト本体はテーブルランプに構成され、前記支持枠がテーブル面上に載置されることを特徴とする前記（１）に記載の照明装置。
【発明の効果】
【００１７】
本発明の有益な効果は、電気取込座、オーディオライト本体の設置を通じて、電気取込座はオーディオライト本体に対して充電を行うことができ、かつオーディオライト本体上に検知装置が設けられ、オーディオライト本体の充電状態を検知するために用いられると共に、充電の状態に基づいて照明輝度を変更し、オーディオライトの電気取込座から取り下げられた後の使用時間を有効に延長させることができ、使用の臨機応変性に優れ、実用性に強く、普及化により大きい意義を有することである。
【図面の簡単な説明】
【００１８】
【図１】本発明の一実施形態に係る照明装置の支持枠、電気取込座及びオーディオライト本体が地中差込灯になるように組み付ける場合の構造図である。
【図２】本発明の一実施形態に係る照明装置の支持枠、電気取込座及びオーディオライト本体が吊り下げ灯になるように組み付ける場合の構造図である。
【図３】本発明の一実施形態に係る照明装置の支持枠、電気取込座及びオーディオライト本体がテーブルランプになるように組み付ける場合の構造図である。
【図４】本発明の一実施形態に係る照明装置の支持枠、電気取込座及びオーディオライト本体が天井取付灯になるように組み付ける場合の構造図である。
【図５】本発明の一実施形態に係る照明装置の支持枠、電気取込座及びオーディオライト本体がフロアランプになるように組み付ける場合の構造図である。
【図６】本発明の支持枠、電気取込座及びオーディオライト本体が壁付け灯になるように組み付ける場合の構造図である。
【図７】本発明の支持枠、電気取込座及びオーディオライト本体が壁付け灯になるように組み付ける場合の構造図である。
【発明を実施するための形態】
【００１９】
本発明の目的、技術的解決策及び利点をより明瞭にするため、以下、図面に示した実施例に基づき本発明をさらに詳細に説明する。もっとも、本発明は、かかる図面により限定されるものではない。
【００２０】
図１〜図７のように、本発明に係る照明装置は、電気取込座２０と、オーディオライト本体１０と、支持座（図未表示）とを備え、オーディオライト本体１０は、電気取込座２０上に載置され、電気取込座２０は、オーディオライト本体１０に対して充電を行うことができ、オーディオライト本体１０は、電気取込座２０本体上から取り下げられて単独で使用することもでき、ほかに電気取込座２０は、照明装置として使用することもでき、電気取込座２０は支持座上に装着され、支持座は、地中差込部材３１、懸垂部３２、支持部３５、天井取付部３４、壁付け座３６または支持枠３３であってもよい。
【００２１】
図１のように、支持座が地中差込部材３１を採用する場合、支持枠３３、電気取込座２０及びオーディオライト本体１０は地中差込灯に構成され、地中差込部材３１の底部が下狭上広の錐形を呈して設けられ、地中差込部材３１は、地下まで挿入されて固定を行わせることが可能である。
【００２２】
図２のように、支持座が懸垂部３２を採用する場合、支持枠３３、電気取込座２０及びオーディオライト本体１０は吊り下げ灯に構成され、懸垂部３２の頂部が天井板の頂部の壁面上に装着され、オーディオライト本体１０の上端が懸垂部３２の底部に懸垂される。
図５のように、支持座が支持部３５を採用する場合、支持枠３３、電気取込座２０及びオーディオライト本体１０はフロアランプに構成され、支持部３５の底部に支持盤３５１が設けられ、支持座は地面上に直接載置される。
【００２３】
図４のように、支持座が天井取付部３４を採用する場合、支持枠３３、電気取込座２０及びオーディオライト本体１０は天井取付灯に構成され、支持座が上天井板上に装着され、オーディオライト本体１０の上端が引掛金具の方式を採用して支持座上に装着される。
【００２４】
図６のように、支持座が壁付け座３６を採用する場合、支持枠３３、電気取込座２０及びオーディオライト本体１０は壁付け灯に構成され、壁付け座３６が仕切壁上に装着され、電気取込座２０の外側部分が支持座上に装着される。
【００２５】
図３のように、支持座が支持枠３３を採用する場合、支持枠３３、電気取込座２０及びオーディオライト本体１０はテーブルランプに構成され、支持枠３３がテーブル面上に載置される。
【００２６】
電気取込座２０の内部に電気回路基板（未図示）と、充電装置（未図示）とが設けられ、充電装置は電気回路基板と接続され、外部電気回路は、ＵＳＢまたは直接接続の方式を採用して電気回路基板と接続され、電気取込座２０に充電プラグが設けられる。
【００２７】
オーディオライト本体１０は、ブラケット１１と、ブラケット１１上に装着される音響構成部品１３、照明構成部品１２、制御電気回路基板（未図示）、電池（未図示）、充電口（未図示）とを有し、音響構成部品１３、照明構成部品１２は、いずれも制御電気回路基板上に接続され、電池は同様に制御電気回路基板上に接続され、充電口は電池と接続され、制御電気回路基板は、照明装置及び音響構成部品１３を稼働させるように制御し、充電口がブラケット１１の底部に設けられ、充電時、オーディオライト本体１０は電気取込座２０上に載置されて電気を取り込み、充電プラグは充電口と接続され、電気回路導通が
実現できる。
【００２８】
本実施例において、充電プラグを採用して充電口に合わせて導電処理及び充電処理を完了させる。他の実施例において、無線充電を採用する形式に合わせて充電を行うこともでき、具体的には、電気取込座２０上に無線充電構造の一次コイルが設けられ、オーディオライト本体１０上に二次コイルが設けられ、二次コイルが電池上に接続され、一次コイルは、一定周波数の交流電力を通過させ、電磁誘導を通じて二次コイルにおいて一定の電流を発生させて電池に対して充電を行い、従ってエネルギーを送信端から受信端に転移する。
【００２９】
制御電気回路基板上に検知モジュールと、制御チップとを含み、検知モジュールが制御チップ上に接続され、検知モジュールは、検知結果を制御チップ上にフィードバックし、検知装置は、電池が充電状態にあるか否かを検知するために用いられ、制御チップは、照明構成部品１２の入力電流の大きさを制御することで、照明構成部品１２の照明輝度を変更し、具体的には、オーディオライト本体１０が電気取込座２０上に載置される場合、照明構成部品１２の照明輝度は１００％状態にあり、オーディオライト本体１０が電気取込座２０から取り下げられると、照明構成部品１２で照明する場合は、７０％の照明輝度に
相当する。
【００３０】
ほかに支持座が壁付け座３６の形式を採用する場合、オーディオライト本体１０のブラケット１１の側面に第１位置付け部が設けられ、第１接続端子１４が第１位置付け部上に装着され、かつ外部に露出し、第１位置付け部は電気取込座２０と合わせて取り付けられ、第２位置付け部は第１位置付け部と電気的に接続される。
【００３１】
使用時、音響構成部品１３は、単個を採用するか、あるいは組合せ方式で使用してもよい。組合せ方式を採用して使用する場合、組合せ式音響システムになるように音響構成部品１３の間は連結され、１台の音響構成部品１３をマスター機として使用してもよいし、スレーブ機として使用してもよく、スレーブ機モードにおいて、２種の機能を有し、その内の１種の機能は、マスター機と対連結するスレーブ機として機能し、マスター機のオーディオ周波信号を受信し、オーディオライトは、オーディオ周波信号をブルートゥース／２．４Ｇ／５Ｇ／ＷｉＦｉ／ＦＭの方式で周囲に向けて発信し、スレーブ機がマスター機
から信号を受け取った後、オーディオ周波信号に復号化してスピーカに与えて音声を発出する。
【００３２】
本発明の有益な効果は、電気取込座２０、オーディオライト本体１０の設置を通じて、電気取込座２０はオーディオライト本体１０に対して充電を行うことができ、かつオーディオライト本体１０上に検知装置が設けられ、オーディオライト本体１０の充電状態を検知するために用いられると共に、充電の状態に基づいて照明輝度を変更し、オーディオライトの電気取込座２０から取り下げられた後の使用時間を有効に延長させることができ、使用の臨機応変性に優れ、実用性に強く、普及化により大きい意義を有することである。
【符号の説明】
【００３３】
１０        オーディオライト本体
１１        ブラケット
１２        照明構成部品
１３        音響構成部品
２０        電気取込座
３１        地中差込部材
３２        懸垂部
３３        支持枠
３４        天井取付部
３５        支持部
３５１      支持盤
３６        壁付け座